(57)【要約】      （修正有）【課題】使用者が膝を屈伸させたときの膝への引掛りを軽減させるスラックスを提供する。【解決手段】本スラックス１は、縦方向に延びる２つの筒状の脚部４を有する。各脚部４は、その前身頃６に表地と裏地６ｂを有する。裏地６ｂは、大腿部から膝部にかけて延び、脚部４の両側部１４において脚部４に固定され、大腿部を覆う第１の部分２０と、それに隣接して膝部を覆う第２の部分２２を有する。第２の部分２２は、第１の部分２０よりも伸縮性が大きい。【選択図】図１
0003169965.tif 000002
【実用新案登録請求の範囲】
【請求項１】
縦方向に延びる２つの筒状の脚部を有するスラックスであって、
各脚部は、その前身頃に表地と裏地を有し、
前記裏地は、大腿部から膝部にかけて延び、前記脚部の両側部において前記脚部に固定され、大腿部を覆う第１の部分と、それに隣接して膝部を覆う第２の部分とを有し、
前記第２の部分は、前記第１の部分よりも縦方向に伸縮可能であることを特徴とするスラックス。
【請求項２】
前記裏地の第２の部分は、更に横方向に伸縮可能であることを特徴とする請求項１に記載のスラックス。
【請求項３】
前記裏地の第２の部分は、前記脚部の前身頃の表地よりも縦方向により伸縮可能であることを特徴とする請求項１または２に記載のスラックス。
【請求項４】
前記裏地の第２の部分は、メッシュ状である、請求項１乃至３のいずれか１項に記載のスラックス。
【考案の詳細な説明】
【技術分野】
【０００１】
本考案は、スラックスに関し、詳細には、裏地を有するスラックスに関する。
【背景技術】
【０００２】
スラックスは、一般的には、右半部と左半部を中央で縫合わせることによって形成されている。各半部は、使用者の下腹部及び臀部を覆う胴部と、使用者の脚を覆う筒状の脚部とを有している。従来、各半部の前身頃に、胴部から脚部に延びる裏地を設けたスラックスが知られている（例えば、特許文献１参照）。特許文献１に記載されたスラックスでは、前身頃の裏地は化粧生地で作られ、使用者がスラックスを着脱する際のすべりをよくしている。
【先行技術文献】
【特許文献】
【０００３】
【特許文献１】実開昭４８−４６８１３号公報
【考案の概要】
【考案が解決しようとする課題】
【０００４】
しかしながら、従来のスラックスを着用した使用者が膝を屈伸させたとき、使用者の膝にスラックスが引掛かることがあった。特に、使用者が汗をかいているときや、筒状の脚部が細く使用者の脚にフィットするように作られているとき、使用者の膝にスラックスが引掛かりやすかった。また、使用者が年配である場合、スラックスが膝の屈伸を妨げることがあった。
【０００５】
そこで、本考案は、使用者が膝を屈伸させたときの膝への引掛かりを軽減できるスラックスを提供することを目的にしている。
【課題を解決するための手段】
【０００６】
上記目的を達成するために、本考案によるスラックスは、縦方向に延びる２つの筒状の脚部を有するスラックスであって、各脚部は、その前身頃に表地と裏地を有し、裏地は、大腿部から膝部にかけて延び、脚部の両側部において脚部に固定され、大腿部を覆う第１の部分と、それに隣接して膝部を覆う第２の部分とを有し、第２の部分は、第１の部分よりも縦方向に伸縮可能であることを特徴としている。
【０００７】
このように構成されたスラックスによれば、使用者が膝を屈伸させたとき、膝が裏地の第２の部分に接した後に裏地の第２の部分が第１の部分よりも縦方向に伸び、結果として、膝が表地に対して大きく移動し、膝の曲げに対するスラックスの引掛かりを軽減することができる。
【０００８】
本考案の好ましい実施形態によれば、裏地の第２の部分は、更に横方向に伸縮可能である。
【０００９】
このような構成によれば、膝を曲げたときに裏地の第２の部分が横方向に伸びるので、膝の曲げに対するスラックスの引掛かりを更に軽減することができる。
【００１０】
本考案の好ましい実施形態によれば、裏地の第２の部分は、脚部の前身頃の表地よりも縦方向に伸縮可能である。
【００１１】
このような構成によれば、膝を曲げたときに表地の縦方向の伸びが小さくでも、裏地の第２の部分が縦方向に伸びるので、膝の曲げに対するスラックスの引掛かりを軽減することができる。
【００１２】
本考案の好ましい実施形態によれば、前記裏地の第２の部分は、メッシュ状である。
【考案の効果】
【００１３】
本考案によるスラックスは、使用者が膝を屈伸させたときの膝への引掛かりを軽減することができる。
【図面の簡単な説明】
【００１４】
【図１】本考案の好ましい態様のスラックスの概略図である。
【図２】図１のスラックスの脚部を裏返した部分的な拡大図である。
【考案を実施するための形態】
【００１５】
以下、添付図面を参照して本考案の好ましい実施形態のスラックスについて説明する。図１は、本考案の好ましい態様のスラックスの正面図である。
【００１６】
図１および図２に示すように、スラックス１は、右半部１ａと左半部１ｂを中央１ｃで縫合することによって形成されている。各半部１ａ、１ｂは、使用者の下腹部を覆う胴部２と、使用者の脚を覆うように縦方向に延びる筒状の脚部４を有している。したがって、スラックス１は、２本の筒状の脚部４を有している。各半部の胴部２及び脚部４は、前身頃６と後身頃８とによって形成されている。前身頃６は、表地６ａと裏地６ｂを有し、後身頃８は、表地だけを有している。
【００１７】
前身頃６の表地６ａと後身頃（表地）８とは、胴部２において一方の側部１０だけが縫合され、脚部４において筒状になるように両方の側部１４が縫合されている。言い換えれば、前身頃６の表地６ａと後身頃（表地）８とは、それぞれの体側の方の側部１０、１４が胴部２から脚部４まで全長にわたって縫代１２（図２参照）が筒の内側にあるように縫合され、体央の方の側部１４は、脚部４の全長にわたって縫代１２（図２参照）が筒の内側にあるように縫合されている。また、右半部１ａの前身頃６の表地６ａと左半部１ｂの前身頃６の表地６ａ、及び、右半部１ａの後身頃（表地）８と左半部１ｂの後身頃（表地）８は、中心部１ｃで縫合されている。中心部１ｃにファスナーが設けられてもよいし、胴部２の側部１０にポケットが設けられてもよい。前身頃６の表地６ａと後身頃（表地）８は、同じ生地であることが好ましく、例えば、ウール生地である。
【００１８】
図２は、図１のスラックスを裏返した部分的な拡大図である。図２に示すように、脚部４の裏地６ｂは、その両側部１６において、前身頃６の表地６ａの側部１４に沿って延びる縫代１２に縫合されている。したがって、裏地６ｂの中央部１８は、表地６ａに対して移動可能である。
【００１９】
裏地６ｂは、胴部２から大腿部４ａまで延びる第１の部分２０と、第１の部分２０に隣接して膝部４ｂを覆う第２の部分２２を有している。第１の部分２０と第２の部分２２とは、異なる生地で作られ、接続部２４で互いに縫合されている。第１の部分２０は、摩擦係数の低い表面が滑らかな生地であることが好ましく、例えば、ポリエステル製である。第２の部分２２は、第１の部分２０よりも縦方向に伸縮性を有する生地で作られることが好ましく、例えば、パワーネットである。パワーネットは、ポリウレタンにナイロンを巻いたものをメッシュ状に編み込んだ伸縮性が大きい生地のことであり、横方向及び斜め方向にも伸縮可能である。パワーネットとしては、例えば、東洋紡績株式会社から品番Ｔ２０５５で販売されている生地（ナイロン８３％、ポリウレタン１７％）がある。
【００２０】
使用者がスラックス１をはくと、使用者の大腿部は、裏地６ｂの第１の部分２０に位置し、膝部は、裏地６ｂの第２の部分２２に覆われる。使用者が膝を曲げると、膝が裏地６ｂの第２の部分２２に接する。従来のスラックスでは、次いで、裏地６ｂが表地６ａに接して、表地６ａと裏地６ｂの大腿部から膝部までが一緒に、使用者の膝によって縦方向（脚部の長手方向）に引張られる。この引張りは、使用者が膝を曲げるときの抵抗になり、使用者の膝を曲げにくくする。しかしながら、本考案によるスラックス１では、裏地６ｂが表地６ａに接した後、裏地６ｂの第２の部分２２の縦方向の伸縮性が第１の部分２０の縦方向の伸縮性よりも大きく、また、第２の部分２２は、左右の側部が縫代１２に固定され、上端が伸縮性の小さい第１の部分２０に固定されているため、第２の部分２２が縦方向に大きく伸び、また、裏地６ｂの中央部１８が表地６ａに対して移動可能になっているので、使用者の膝は、表地６ａに対して足先方向に移動する。その結果、表地６ａは、使用者が膝を曲げるときの抵抗にならず、膝を曲げやすい。このように、裏地６ｂの第２の部分２２の中央部１８が使用者の膝の動きに応じて表地６ａに対して自由に移動するので、裏地６ｂの第１の部分２０がつっぱっても使用者は楽に膝を屈伸させることができる。特に、表地６ａの伸縮性が裏地６ｂの伸縮性よりも小さい場合、スラックス１の筒部が比較的細い場合に、効果的である。また、使用者が年配の人である場合にも効果的である。使用者が膝を伸ばして元の状態に戻すときも、裏地６ｂの第２の部分２２が表地６ａに対して移動し、使用者の膝の動きを妨げない。
【００２１】
本考案は、以上の実施の形態に限定されることなく、実用新案登録請求の範囲に記載された考案の範囲内で種々の変更が可能であり、それらも本考案の範囲内に包含されるものであることはいうまでもない。
【００２２】
上記実施形態では、スラックスが、右半部１ａと左半部１ｂのそれぞれにおいて、前身頃の表地と後身頃（表地）が別の生地で作られているが、生地をどのように分割してスラックスを作るのかは任意であり、右半部１ａの前身頃の表地と左半部１ｂの前身頃の表地を１枚の生地で構成してもよいし、脚部の前身頃の表地と後身頃（表地）を１枚の生地で構成してもよい。また、生地同士は、縫合されてもよいし、接着等によって固定されていてもよい。また、裏地６ｂは、縦方向にのみ伸縮する生地を用いてもよい。
【符号の説明】
【００２３】
１  スラックス
４  脚部
４ａ  大腿部
４ｂ  膝部
６  前身頃
６ａ  表地
６ｂ  裏地
１４  側部
２０  第１の部分
２２  第２の部分
【図１】
0003169965.tif 000003
【図２】
0003169965.tif 000004